(57)【要約】【課題】  個人情報等を確実に隠匿することができ、情報を記載後に目隠しシールを貼る手間が不要であり、さらに記載した情報の控えを残すことができ、特に一般消費者側から企業等に対して情報を郵送する場合に適した情報担持シートを提供する。【解決手段】  情報秘匿部分を有する台紙層、該情報秘匿部分に情報を複写する複写層、さらに情報記入部位で控えとなる情報記入層とが接着剤で貼り合わされてなることを特徴とする情報担持シート。【選択図】  図１
2008230088.tif 000002
【特許請求の範囲】
【請求項１】
情報秘匿部分を有する台紙層、該情報秘匿部分に情報を複写する複写層、さらに情報記入部位で控えとなる情報記入層とが接着剤で貼り合わされてなることを特徴とする情報担持シート。
【発明の詳細な説明】
【技術分野】
【０００１】
本発明は情報担持シートに関するものであり、情報を記入後に目隠しシールを貼るような作業を行うことなく隠蔽状態にすることができ、さらに記入情報の控えを残すことができるものである。
【背景技術】
【０００２】
従来、預金残高等の親展情報を郵送する際には情報の秘匿性を保つために封書が用いられてきたが、近年では情報記載部を感熱式接着剤、感圧式接着剤等で貼り合わせることによって秘匿状態で郵送できる、いわゆる圧着ハガキが用いられている。このような圧着ハガキを用いる利点としては、封書のように情報を記入した用紙を封筒に入れて糊付けするという手間が不必要で、郵送費用も抑制できるという点が挙げられる。また、展示会の案内等のダイレクトメールを送付する際においても、封書では開封に手間がかかることから未開封のまま放置されたり、通常のハガキでは注目度が高まらないのに対して、圧着ハガキを用いた場合は受取人が期待感を持って情報記載面を剥がすため、より効果的に通知を行えると考えられている。
【特許文献１】実開平６−３２０６３号公報
【０００３】
このように圧着ハガキは盛んに用いられているが、その製造方法としては情報記載後に感熱式接着剤や感圧式接着剤を塗布し、所定の圧着条件（例えば熱や圧力）を与えるといった工程が必要であり、工場ラインでの生産には向いているが、個人が１通のみを作成するような場合には不適である。従って、個人が通信販売の商品発注、各種サービスへの申し込みや変更届け等で情報を秘匿状態で郵送する場合、従来のように封書を用いるか、またはハガキの情報記載部に目隠しシールを貼って郵送する方法が用いられている。
【０００４】
しかしながら、前者の方法では封書の作成に手間がかかるため、仮に商品に魅力を感じたとしても封書作成の手間を嫌って申し込みを断念する場合もあり、販売機会の損失となる。特に、アンケートの回収のように送り手側に積極的動機がない場合はこの傾向が顕著となる。また、このような商品の申し込みの場合は受取人が郵送費用を負担する場合が多く、ハガキに比べて費用負担が大きくなるという欠点もある。一方、後者の場合は個人に目隠しシールを貼る作業を行わせるため、うまく貼られていない場合があり情報漏洩の点から好ましくなく、また目隠しシールの離型紙がゴミとなる点も好ましくない。
【０００５】
また、個人が通信販売の商品発注等を行う際、その内容の控えを取っていない場合がほとんどであるため、注文通りの品物が届いたにもかかわらず、勘違いにより注文と違う品物が届いたとして抗議をしてしまうことがある。また、最近では各種詐欺的商法が多いため、注文した商品の配送時に本人が不在の場合、家族が不審に感じ受取を拒否する場合もある。
【０００６】
このように、個人が通信販売の商品発注、各種サービスへの申し込みや変更届け等を郵送する際、送り手である個人だけではなく、受取側である企業や自治体等も満足できる有効な方法はなかった。
【発明の開示】
【発明が解決しようとする課題】
【０００７】
本発明は前記課題に鑑み、個人情報等を確実に隠匿することができ、情報を記載後に目隠しシールを貼る手間が不要であり、さらに記載した情報の控えを残すことができ、特に一般消費者側から企業等に対して情報を郵送する場合に適した情報担持シートを提供するものである。
【課題を解決するための手段】
【０００８】
情報秘匿部分を有する台紙層、該情報秘匿部分に情報を複写する複写層、さらに情報記入部位で控えとなる情報記入層が接着剤で貼り合わされてなることを特徴とする情報担持シートにより、前記課題を解決した。
【発明の効果】
【０００９】
本発明からなる情報担持シートを用いることにより、個人が通信販売の商品発注、各種サービスへの申し込みや変更届けを行う際、面倒な作業を行うことなく個人情報を秘匿状態でシートに記入することができ、その秘匿状態を保ったまま受取人に郵送できる。さらに記載内容の控えを残すことができるため、注文した商品を勘違いすることを防止でき、申し込んだ商品を受け取る際に申し込みを行った本人が不在であっても、代理人が控えから申し込み内容を正確に把握した上で受け取ることができる。
【発明を実施するための最良の形態】
【００１０】
以下、本発明を図面に基づいて詳細に説明する。図１〜４は本発明を通信販売の商品申し込み用ハガキに適用した図である。図１は情報担持シートの平面図であり、図２はその概略的なＡ−Ａ線断面図、図３は情報担持シートから情報記入層を剥がした郵送状態を示す図であり、図４はさらに複写層を剥がして記載情報を読み取る状態を示す図である。
【００１１】
図１、２、４に示すように、台紙層１は情報秘匿部分３を有し、接着剤層４を介して複写層５と貼り合わせられている。さらに接着剤層６を介して情報記入層７が台紙層１及び／又は複写層５と貼り合わせられている。
【００１２】
複写層５は個人情報等記載部を隠匿する役割と控え層１に個人情報を記載する際に複写層５にかかる圧力により、該個人情報を台紙層１にも複写する機能を有するものである。複写の方法としてはカーボン複写またはノンカーボン複写が挙げられ、台紙層１の情報秘匿部分３に複写が行えるような加工を行う。また、複写層は複写された情報を隠匿する役割もあるため、隠匿機能を高めるために地紋を施しても良い。
【００１３】
接着剤層４は台紙層１と複写層５を擬似接着するものである。台紙層１に転写された個人情報等を保護するため、一旦剥がすと再接着できない接着剤が好ましく、感圧式接着剤、感熱式接着剤や、特願２００５−２８７６２１号に記載されているアクリル樹脂系エマルジョン、酢酸ビニル樹脂系エマルジョン、ワックスエマルジョンおよびシリコンオイルエマルジョンを含有する水系接着剤組成物等を用いることができる。
【００１４】
接着剤層６は情報記入層７を複写層５及び／又は台紙層１に擬似接着する機能を有するものである。接着剤層４で例示した接着剤の他、粘着剤を用いることもできるが、情報記入層７を剥離後に台紙層１及び／又は複写層５にタックが残ると郵送に不都合なため、台紙層１及び／又は複写層５にはタックが残らないものが好ましい。接着剤層６を粘着剤とした場合、情報記入層７は裏面にタックを有するため、壁、テーブル、ボード等に貼り付けて保管することができる。
【００１５】
情報記入層７は情報を直接記入する層であり、情報を記入する際の圧力が複写層５にかかり、該情報を台紙層１に複写されるものである。また、情報記入後は複写層５及び／又は台紙層１から剥がし、控えとして記入情報を保管することができる。情報記入層７は複写層５よりも大きくしておくと、情報記入層７のみを剥がしやすく、見栄えも良い。
【００１６】
なお、本発明からなる情報担持シートは郵送用ハガキ以外にも適用でき、例えば企業内での情報伝達手段等としても用いることができる。また、記載する情報は必ずしも個人情報のような秘匿情報に限られない。
【図面の簡単な説明】
【００１７】
【図１】情報担持シートの平面図（使用前の状態）
【図２】情報担持シートのＡ−Ａ線断面図
【図３】情報担持シートの平面図（個人情報等を記載し、情報記入層７を剥がした状態）
【図４】情報担持シートの平面図（複写層５を剥がし、受取人が情報を読み取る状態）
【符号の説明】
【００１８】
１  台紙層
３  情報秘匿部分
４  接着剤層
５  複写層
６  接着剤層
７  情報記入層
【図１】
2008230088.tif 000003
【図２】
2008230088.tif 000004
【図３】
2008230088.tif 000005
【図４】
2008230088.tif 000006